(57)【要約】【課題】印刷データとともに表示言語を変更するコマンドを送信することで、所望の表示言語で操作パネルを表示することを可能とする。【解決手段】情報処理装置１０２で作成した印刷データを画像形成装置１０３に送信して画像を形成する場合において、印刷データとともに画像形成装置１０３の操作パネル１０９における表示言語を変更するコマンドを送信する装置およびシステムを提供する。【選択図】図１
2007090757.tif 000002
【特許請求の範囲】
【請求項１】
上位装置から受信した印刷データに基づいて画像を形成する画像形成装置において、
前記画像形成装置に関する各種情報の表示に対して複数の言語の表示情報を記憶する表示情報記憶部と、
受信した印刷データを処理するときに前記受信部で受信した印刷データに基づき、前記表示情報記憶部に記憶された複数の言語のいずれかを選択する言語選択部と、
前記言語選択部で選択された言語に基づき、前記画像形成装置に関する各種情報を表示する表示部と、
から成ることを特徴とする画像形成装置。
【請求項２】
画像データから印刷データを作成する情報処理装置において、
前記情報処理装置で使用するアプリケーションの言語を識別するための識別情報記憶部と、
前記画像データに前記言語を識別する識別情報を付加して印刷データを作成する印刷情報作成部と、
前記印刷情報作成部で作成した前記画像データを前記情報処理装置へ送る送信部と、
から成ることを特徴とする情報処理装置。
【請求項３】
請求項１記載の画像形成装置と、請求項２記載の情報処理装置とから成ることを特徴とする画像形成システム。
【請求項４】
表示言語を設定した場合は、設定した表示言語をジョブの終了時にデフォルト設定値の表示言語に戻すことを特徴とする請求項１記載の画像形成装置。
【請求項５】
表示言語を設定した場合は、設定した表示言語をジョブの終了時に前のジョブで設定された表示言語に戻すことを特徴とする請求項３記載の画像形成システム。
【請求項６】
前記表示部は、操作パネルであることを特徴とする請求項１記載の画像形成装置。
【請求項７】
前記表示部に表示する各種情報は、前記画像形成装置のステータスとメニューであることを特徴とする請求項１記載の画像形成装置。
【発明の詳細な説明】
【技術分野】
【０００１】
本発明は、多国語の表示が可能な画像形成装置、情報処理装置および画像形成システムに関するものである。
【背景技術】
【０００２】
従来、プリンタ等の画像形成装置における操作パネルの外国語表示の切り替えは、当該操作パネルの操作または当該プリンタの環境設定をするユーティリティで行っていた。
【０００３】
しかしながら、ネットワークを介して多くのユーザによって共用されているプリンタにおいては、以下の不都合を生じた。
【０００４】
すなわち、従来の表示切り替え方法では、プリンタの操作パネルにおいて、ユーザがパーソナルコンピュータ等の情報処理装置で使用している言語と異なる言語での表示がされている場合、情報処理装置からプリンタに印刷データを送信する前にプリンタの環境を設定するユーティリティを使ってユーザが操作パネルの表示言語を所望の言語に変更しなければならなかった。
【０００５】
そうしなければ、ユーザがパーソナルコンピュータ等の情報処理装置で使用している言語と同じ言語で操作パネルが表示されず、ユーザがプリンタの状態を操作パネルで調べる際に当該ユーザにとって不都合となるという欠点があった。
【特許文献１】特開平７−１６４６８５号公報
【発明の開示】
【発明が解決しようとする課題】
【０００６】
解決しようとする問題点は、プリンタ等の画像形成装置の表示部がユーザがパーソナルコンピュータ等の情報処理装置で使用している言語と異なる言語で表示されている場合、情報処理装置から画像形成装置に印刷データを送信する前に表示言語を所望の言語に変更しなければならない点である。
【課題を解決するための手段】
【０００７】
本発明は、情報処理装置で作成した印刷データを画像形成装置に送信して画像を形成する場合において、前記印刷データとともに前記画像形成装置の表示部における表示言語を変更するコマンドを送信する装置およびシステムを提供することを最も主要な特徴とする。
【発明の効果】
【０００８】
本発明の画像形成装置、情報処理装置および画像形成システムでは、情報処理装置から印刷データを画像形成装置に送信する場合において、印刷データとともに画像形成装置の表示部における表示言語を変更するコマンドを送信するので、画像形成装置の表示部において、ユーザがパーソナルコンピュータ等の情報処理装置で使用している言語と異なる言語で表示がされている場合、情報処理装置から画像形成装置に印刷データを送信する前にユーザが表示部の表示言語を所望の言語に変更する必要がないという利点がある。
【発明を実施するための最良の形態】
【０００９】
ユーザがパーソナルコンピュータ等の情報処理装置で使用している言語と同じ言語で表示部を表示するという目的を、ネットワークに接続されたプリンタの場合で、実現した。
【実施例１】
【００１０】
図１は、本発明の実施例１に係る画像形成システムを示すブロック図である。
図示の画像形成システム１０１は、情報処理装置１０２と、画像形成装置１０３とで構成されている。
【００１１】
情報処理装置１０２は、実施例１では、パーソナルコンピュータである。
画像形成装置１０３は、実施例１では、プリンタである。
これらの情報処理装置１０２と、画像形成装置１０３とは、通信回線１００で接続されている。
【００１２】
この通信回線１００は、実施例１では、ネットワークとするが、ネットワーク以外のいかなる回線でも構わず、例えば、ＵＳＢ、ＩＥＥＥ１２８４、シリアルインタフェース等でもよい。
【００１３】
情報処理装置１０２の内部には、送信部１０４と、印刷情報作成部１０５と、識別情報記憶部１０６と、識別情報作成部１０７が存在する。
【００１４】
送信部１０４は、通信回線１００に対して印刷データを送信するインタフェース部である。
印刷情報作成部１０５と、識別情報記憶部１０６と、識別情報作成部１０７は、協同してプリンタドライバを構成する。
このプリンタドライバは、図２に示すような印刷データを作成する。
【００１５】
図２は、実施例１に係る印刷データの一例を示す図である。
図示の印刷データは、画像形成装置１０３の操作パネル１０９における表示言語を設定するためのプリンタ環境設定コマンド２１と、実際に印刷を実行するための印刷ジョブデータ２２とを含んでいる。プリンタ環境設定コマンド２１に表示言語を設定する際にオペレータが操作する画面を図３に示す。
【００１６】
図３は、実施例１に係るプリンタドライバ設定画面の一例を示す図である。
図示の例では、プリンタで対応している表示言語は、日本語、英語、ドイツ語、フランス語、イタリア語の５カ国語である。このため、図３では、これらの５カ国語が選択できるようになっている。
【００１７】
しかしながら、図３に示すプリンタドライバ設定画面は、図示の例に限らず、プリンタがサポートしている表示言語のすべてを選択可能である。すなわち、プリンタ環境設定における表示言語３１において、選択可能な言語がプルダウンリストで表示される。
【００１８】
図１に戻り、送信部１０４は、通信回線１００と接続されており、印刷データを画像形成装置１０３へ送信する。また、送信部１０４は、印刷情報作成部１０５と接続されており、印刷情報作成部１０５で作成された図２の印刷データを画像形成装置１０３へ送信する。
【００１９】
印刷情報作成部１０５は、識別情報記憶部１０６と接続されており、識別情報記憶部１０６から図３のプリンタドライバ設定画面で選定された表示言語の情報を取得し、これをプリンタ環境設定コマンドにセットし、図２の印刷データを作成する。この場合、実施例１では、表示言語として日本語がセットされる。
【００２０】
識別情報記憶部１０６は、識別情報作成部１０７と接続されており、図３のプリンタドライバ設定画面で日本語が選択された場合、識別情報作成部１０７は表示言語情報に日本語を設定する。識別情報記憶部１０６は、この識別情報作成部１０７で作成された表示言語情報すなわち実施例１での日本語を取得し、記憶する。
【００２１】
画像形成装置１０３は、受信部１０８と、操作パネル１０９と、画像形成部１１０と、印刷部１１１と、ステータス管理部１１２と、ジョブ管理部１１３と、設定値管理部１１４とから構成されているプリンタである。
受信部１０８は、通信回線１００から印刷データを受信するインタフェース部である。
【００２２】
操作パネル１０９は、ＬＣＤおよび操作スイッチ（ともに図示省略）を備えるとともに、図４に示すような多国語表示用の文字列テーブルを保持している。これにより、操作パネル１０９は、選定された表示言語について図４のステータス番号４１をキーとして図５に示すようにプリンタのステータスを図示しないＬＣＤに多国語で表示することができる。
【００２３】
また、操作パネル１０９は、図６に示すようにプリンタのメニューを図示しないＬＣＤに多国語で表示することができる。図４に示す多国語テーブルの格納場所は、プログラムＲＯＭ内、専用ＲＯＭ内、またはダウンロード用のＲＡＭ、フラッシュメモリ、ハードディスク等のいずれでも良い。
【００２４】
画像形成部１１０は、印刷データを編集、展開し、ラスタデータを作成する処理部である。
印刷部１１１は、画像形成部１１０で作成したラスタデータを用紙に印刷する処理部である。
【００２５】
ステータス管理部１１２は、例えば、アイドル中、印刷中、エラーの発生等のプリンタにおける状態を管理する処理部である。
ジョブ管理部１１３は、プリンタが印刷データを受信してから印刷が完了するまでのジョブの状態を図７のような管理テーブルで管理する処理部である。
【００２６】
設定値管理部１１４は、操作パネル１０９で表示するための表示言語情報やプリンタの環境を設定する情報の設定値をＥＥＰＲＯＭ等の不揮発性メモリへ保管し、これらを管理する処理部である。
【００２７】
受信部１０８は、通信回線１００と接続されており、情報処理装置１０２から印刷データを受信する。この受信部１０８は、画像形成部１１０と接続されており、情報処理装置１０２から受信した図２に示すような印刷データのうち、プリンタ環境設定コマンドを解析し、プリンタの環境変更等の処理をし、印刷データを画像形成部１１０に渡す。
【００２８】
画像形成部１１０は、受信部１０８から渡された印刷ジョブデータを編集、展開し、ラスタデータを作成し、接続されている印刷部１１１へラスタデータを渡す。
印刷部１１１は、画像形成部１１０から受け取ったラスタデータを用紙へ印刷する。
【００２９】
また、受信部１０８は、設定値管理部１１４と接続されており、情報処理装置１０２から受信した環境設定コマンドを解析し、表示言語情報（実施例１では日本語）を設定値管理部１１４に渡す。
【００３０】
設定値管理部１１４は、受信部１０８から渡された表示言語情報（実施例１では日本語）をＥＥＰＲＯＭ等の不揮発性メモリへ格納する。設定値管理部１１４は、操作パネル１０９と接続されており、操作パネル１０９からの表示言語情報の問い合わせに対して、現在設定されている表示言語情報（実施例１では日本語）を操作パネル１０９に通知する。
【００３１】
操作パネル１０９は、設定値管理部１１４から入手した表示言語情報に対応する言語で図５のようなプリンタのステータスや図６のようなメニューの表示をＬＣＤパネルに表示する。この操作パネル１０９は、ステータス管理部１１２と接続されており、ステータス管理部１１２の指示で図４に示すようなプリンタステータスを表示する。
【００３２】
ステータス管理部１１２は、受信部１０８、画像形成部１１０、印刷部１１１、ジョブ管理部１１３、操作パネル１０９、設定値管理部１１４と接続されており、各処理部で発生したエラーやプリンタジョブの状態変化等のプリンタ内のステータスを管理する。そして、このステータスをユーザに通知すべく、ステータス管理部１１２は、プリンタステータスの表示指示を操作パネル１０９に通知する。これにより、操作パネル１０９においてプリンタステータスが表示される。
【００３３】
設定値管理部１１４は、受信部１０８、画像形成部１１０、印刷部１１１、操作パネル１０９と接続されており、各処理部からの表示言語、用紙サイズ、給紙トレイ等のプリンタ環境の設定値の変更依頼を受け、ＥＥＰＲＯＭの設定値を受け取った設定値に変更する。
【００３４】
また、設定値管理部１１４は、接続されている各処理部からの表示言語、用紙サイズ、給紙トレイ等のプリンタ環境の設定値に対する問い合わせに対して、ＥＥＰＲＯＭから設定値を読み出し、問い合わせを行った処理部にその設定値を返答として返す。
【００３５】
次に、上述した実施例１の動作を説明する。
まず、操作パネル１０９が文字列を表示するときの処理の流れを説明する。
【００３６】
図８は、実施例１に係る表示処理の流れの一例を示すフローチャートである。
ここでは、表示言語が日本語に設定されている場合において、プリンタステータスがアイドル状態に変化したとする。この場合において、一例として、ステータス管理部１１２が操作パネル１０９に「印刷できます。」を表示する要求を出す場合について説明する。
【００３７】
まず、ステップＳ１では、プリンタ内のステータスの変化により、ステータス管理部１１２が操作パネル１０９に表示要求を出し、操作パネル１０９がステータス管理部１１２からの表示要求を受け取る。
【００３８】
次に、ステップＳ２では、操作パネル１０９は、設定値管理部１１４から表示言語情報を取得する。
次に、ステップＳ３では、操作パネル１０９は、表示言語情報の判定を行う。
【００３９】
ステップＳ３での判定の結果、表示言語が日本語なら、ステップＳ４で、図４に示す多国語テーブルから日本語の表示データを取得する。
また、ステップＳ３での判定の結果、表示言語が英語なら、ステップＳ５で、図４に示す多国語テーブルから英語の表示データを取得する。
【００４０】
また、ステップＳ３での判定の結果、表示言語がドイツ語なら、ステップＳ６で、図４に示す多国語テーブルからドイツ語の表示データを取得する。
また、ステップＳ３での判定の結果、表示言語がフランス語なら、ステップＳ７で、図４に示す多国語テーブルからフランス語の表示データを取得する。
【００４１】
また、ステップＳ３での判定の結果、表示言語がイタリア語なら、ステップＳ８で、図４に示す多国語テーブルからイタリア語の表示データを取得する。
【００４２】
例えば、ステップＳ２で表示言語情報として日本語が取得され、プリンタステータスがアイドル状態であることに対応して図４のステータス番号が「１」であり、ステップＳ３での判定の結果、ステップＳ４で、図４に示す多国語テーブルから「印刷できます。」が取得される。
【００４３】
次に、ステップＳ９では、操作パネル１０９は、ＬＣＤに「印刷できます。」を表示する。
なお、上述した例では、表示要求のたびに表示言語情報を取得しているが、これに限らず、電源投入時に表示言語情報を取得し、以後は、表示言語情報が変更された場合に設定値管理部１１４から表示言語情報を通知してもらうようにしてよい。
【００４４】
次に、表示言語を英語から日本語に設定変更する場合の処理の流れについて説明する。  図９は、実施例１に係る表示言語設定処理の全体の流れを示すフローチャートである。
【００４５】
まず、ステップＳ１０１では、情報処理装置１０２の印刷情報作成部１０５で図２に示す印刷データを作成する。
次に、ステップＳ１０２では、情報処理装置１０２の送信部１０４からステップＳ１０１で作成した印刷データを通信回線１００を介して画像形成装置１０３に送信する。
【００４６】
次に、ステップＳ１０３では、画像形成装置１０３の受信部１０８で、情報処理装置１０２から通信回線１００を介して送られてきた印刷データを受信する。
次に、ステップＳ１０４では、画像形成装置１０３は、ステップＳ１０３で受信した印刷データの処理を行う。
【００４７】
次に、ステップＳ１０１の印刷データ作成処理の詳細について説明する。
図１０は、実施例１に係る印刷データ作成処理の流れの一例を示すフローチャートである。
【００４８】
まず、ステップＳ１０５では、識別情報作成部１０７は、図３に示すプリンタドライバ設定画面で設定された表示言語情報として日本語を取得する。
【００４９】
次に、ステップＳ１０６では、識別情報作成部１０７は、ステップＳ１０５で取得した日本語の表示言語情報を識別情報記憶部１０６に渡し、保存する。
【００５０】
次に、ステップＳ１０７では、印刷情報作成部１０５は、図２に示すプリンタ環境設定コマンド２１を作成する。すなわち、印刷情報作成部１０５は、ステップＳ１０６で保存した日本語の表示言語情報を識別情報記憶部１０６から取得し、表示言語を日本語に設定するためのプリンタ環境設定コマンド２１を作成する。
【００５１】
次に、ステップＳ１０８では、印刷情報作成部１０５は、一般的なプリンタドライバが作成する印刷ジョブデータを作成する。一般的なプリンタドライバが作成する印刷ジョブデータとは、図２に示す印刷ジョブデータ２２の部分である。
【００５２】
次に、ステップＳ１０９では、印刷情報作成部１０５は、ステップＳ１０７で作成したプリンタ環境設定コマンド２１とステップＳ１０８で作成した印刷ジョブデータ２２とを合成して印刷ジョブデータを作成する。
【００５３】
次に、図９の印刷データ処理の詳細について説明する。
図１１は、実施例１に係る印刷データ処理の流れの一例を示すフローチャートである。
まず、ステップＳ１１０では、受信部１０８は、印刷ジョブデータに含まれているジョブ情報として、例えば、ジョブ名、印刷枚数、用紙サイズ等を取得し、これらをジョブ管理部１１３に登録する。
【００５４】
次に、ステップＳ１１１では、印刷データを解析する。
ステップＳ１１２では、ステップＳ１１１で解析した結果、印刷データがプリンタ環境設定コマンドかどうかを判定する。
【００５５】
ステップＳ１１２の判定の結果、印刷データがプリンタ環境設定コマンドである場合は、ステップＳ１１３でプリンタ環境設定処理を実行し、その後、ステップＳ１１４で印刷ジョブ処理を実行する。
【００５６】
ステップＳ１１２の判定の結果、印刷データがプリンタ環境設定コマンドでない場合は、ステップＳ１１４で印刷ジョブ処理を実行する。
次に、ステップＳ１１５では、印刷ジョブの削除を行う。
【００５７】
次に、図１１のステップＳ１１３のプリンタ環境設定処理の詳細について説明する。
図１２は、実施例１に係るプリンタ環境設定処理の流れの一例を示すフローチャートである。
【００５８】
まず、ステップＳ１１６では、受信部１０８は、プリンタ環境設定コマンドを解析する。
次に、ステップＳ１１７では、受信部１０８は、プリンタ環境設定コマンドを解析した結果、表示言語設定コマンドかどうかを解析する。
【００５９】
ステップＳ１１７の判定の結果、プリンタ環境設定コマンドが表示言語設定コマンドでなければ、何もせず終了する。
【００６０】
なお、実施例１では、表示言語設定コマンド以外のプリンタ環境設定コマンドが存在しないため、プリンタ環境設定コマンドが表示言語設定コマンドでなければ、何もしないとしているが、表示言語設定コマンド以外のプリンタ環境設定コマンドが存在する場合は、ここでそれに応じた処理を実施すればよい。そのようなコマンドの例としては、印刷物が排出されるトレイを指定するコマンド、印刷用紙のサイズを指定するコマンド、コピー部数を指定するコマンド等がある。
【００６１】
ステップＳ１１７の判定の結果、プリンタ環境設定コマンドが表示言語設定コマンドである場合は、ステップＳ１１８で表示言語設定コマンドの中から表示言語情報として日本語を取得する。
【００６２】
次に、ステップＳ１１９では、受信部１０８は、ステップＳ１１８で取得した日本語の表示言語情報を設定値管理部１１４に通知し、設定値管理部１１４は、ＥＥＰＲＯＭ等の不揮発性メモリの表示言語情報を日本語に変更する。
これにより、以後、操作パネル１０９に表示されるプリンタステータスやメニューは、日本語で表示される。
【００６３】
次に、図１１のステップＳ１１４の印刷ジョブ処理の詳細について説明する。
図１３は、実施例１に係る印刷ジョブ処理の流れの一例を示すフローチャートである。
【００６４】
まず、ステップＳ１２０では、画像形成部１１０は、印刷データが当該プリンタで処理が可能な言語で作成されているかまたはデータが存在するか等のデータの正当性をチェックする。
ステップＳ１２０の判定の結果、印刷データに何らかの問題がある場合は、印刷ジョブ処理を終了する。
【００６５】
ステップＳ１２０の判定の結果、印刷データに何ら問題がない場合は、ステップＳ１２１に進む。
ステップＳ１２１では、画像形成部１１０は、ジョブ管理部１１３に登録されている当該印刷ジョブの状態を「編集中」に変更する。
【００６６】
次に、ステップＳ１２２では、画像形成部１１０はステータス管理部１１２に「プリンタステータスが印刷データの編集中である」と通知し、ステータス管理部１１２は操作パネル１０９に「編集中」の表示指示を出し、操作パネル１０９はＬＣＤに「編集中」を表示する。
【００６７】
次に、ステップＳ１２３では、画像形成部１１０は受信部１０８から渡された印刷ジョブデータを編集し、中間データを作成し、ページバッファに格納する。
次に、ステップＳ１２４では、画像形成部１１０は、ジョブ管理部１１３に登録されている当該印刷ジョブの状態を「展開中」に変更する。
【００６８】
次に、ステップＳ１２５では、画像形成部１１０はステータス管理部１１２に「プリンタステータスが印刷データの展開中である」と通知し、ステータス管理部１１２は操作パネル１０９に「展開中」の表示指示を出し、操作パネル１０９はＬＣＤに「展開中」を表示する。
【００６９】
次に、ステップＳ１２６では、画像形成部１１０はステップＳ１２３で作成した中間データを展開し、印刷部１１１に渡すためのラスタデータを作成する。
【００７０】
次に、ステップＳ１２７では、画像形成部１１０は、ジョブ管理部１１３に登録されている当該印刷ジョブの状態を「印刷中」に変更する。
【００７１】
次に、ステップＳ１２８では、画像形成部１１０はステータス管理部１１２に「プリンタステータスが印刷中である」と通知し、ステータス管理部１１２は操作パネル１０９に「印刷中」の表示指示を出し、操作パネル１０９はＬＣＤに「印刷中」を表示する。
【００７２】
次に、ステップＳ１２９では、印刷部１１１は画像形成部１１０から渡されたラスタデータを用紙に印刷する。
【００７３】
次に、ステップＳ１３０では、印刷部１１１は、印刷完了後、ジョブ管理部１１３に「印刷完了」を通知し、ジョブ管理部１１３は登録されている当該印刷ジョブの状態を「印刷完了」に変更する。
【００７４】
次に、ステップＳ１３１では、印刷部１１１はステータス管理部１１２に「印刷完了した」と通知し、ステータス管理部１１２は操作パネル１０９に「アイドル中」の表示指示を出し、操作パネル１０９はＬＣＤに「アイドル中」を意味する「印刷できます」の文言を表示する。
【００７５】
上述した実施例１で説明した操作パネル１０９の表示は、図１４のように変化する。
図１４は、実施例１において表示言語を英語から日本語に変更する場合の操作パネル表示の遷移を示す図である。
【００７６】
上述した実施例１の説明では、ユーザの操作において、ユーザがプリンタドライバで表示言語に日本語を選択し、図２の印刷データを送信した。
そのとき、プリンタの状態は、プリンタ内に処理しているジョブがないアイドル状態であった。
【００７７】
この状態で、プリンタは、日本語を指定した表示言語設定コマンドを含む印刷データを受信したので、表示言語を日本語に切り替えた。そして、プリンタ環境設定コマンドの処理を終了して、印刷ジョブデータの処理を開始した。
【００７８】
これにより、以後のプリンタステータスの表示は日本語で行われる。
【００７９】
なお、上述した実施例１では、いわゆるネットワークプリンタすなわちネットワークで共用しているプリンタについて説明したが、本発明はこれに限らず、ＵＳＢ、ＩＥＥＥ１２８４、シリアルインタフェース等で接続して使用するプリンタで、複数のユーザが使用する場合、つまりプリンタを移動させて使う場合や、プリンタは移動させずインタフェースケーブルを抜き差しして複数のユーザが使用する場合においても、適用できる。これらの場合でも、ユーザの所望の言語でプリンタの操作パネルに表示されるプリンタステータスを見ることができるという効果が得られる。
【００８０】
以上のように、実施例１によれば、ネットワーク等で多くのユーザが共用しているプリンタにおいても、プリンタの操作パネルの表示を印刷時にユーザの所望の表示言語に切り替えることができる。このため、ユーザが所望の言語でプリンタの操作パネルに表示されるプリンタステータスを見ることができるという効果が得られる。
【実施例２】
【００８１】
図１５は、本発明の実施例２に係る画像形成システムを示すブロック図である。
図１５の実施例２において、図１の実施例１と同じ構成の部分については同じ番号を付し、重複する説明を省略する。実施例１の画像形成システム１０１と違う点は、実施例２の画像形成システム２０１では、画像形成装置２０２のジョブ管理部２０３にデフォルト設定部２０４を追加した点と、画像形成装置２０２の設定値管理部２０５にデフォルト表示言語保存部２０６を設けた点である。
【００８２】
ジョブ管理部２０３と、設定値管理部２０５とを接続し、ジョブ管理部２０３は、設定値管理部２０５から表示言語のデフォルト値を取得できるようにした。
ここで、デフォルト値とは、プリンタが出荷された国の言語とする。つまり、日本に出荷されたプリンタなら、デフォルト値は日本語である。
【００８３】
また、デフォルト値は、工場で出荷される前に設定する場合に限らず、出荷された後に出荷国に合わせて設定するようにしても良い。
次に、実施例２の動作であるが、実施例２は、実施例１における印刷ジョブ処理の流れを変更したのみであるため、印刷ジョブ処理の流れについて説明する。
【００８４】
図１６は、実施例２に係る印刷ジョブ処理の流れの一例を示すフローチャートである。
図１６の実施例２における印刷ジョブ処理の流れにおいて、図１３の実施例１と同じ処理の部分については同じ番号を付し、重複する説明を省略する。
【００８５】
ここで、デフォルト値は英語になっており、印刷データには日本語が設定されている場合を例に説明する。
実施例２では、印刷終了後のジョブ状態を印刷完了に変更するステップＳ１３０の次に、表示言語をデフォルト値に戻す処理であるステップＳ２０１を行う。ここで、ステップＳ２０１の処理について説明する。
【００８６】
まず、ジョブ管理部２０３は、ステップＳ１３０でジョブ完了を認識したので、デフォルト設定部２０４は設定値管理部２０５に表示言語のデフォルト値を問い合わせ、デフォルト値を取得し、設定値管理部２０５に表示言語情報を取得したデフォルト値（英語）に設定するよう依頼し、設定値管理部２０５はＥＥＰＲＯＭ等の不揮発性メモリの表示言語情報を英語に変更する（ステップＳ２０１）。
【００８７】
次に、印刷部１１１は、ステータス管理部１１２に印刷が完了したことを通知し、ステータス管理部１１２は操作パネル１０９にアイドル中の表示指示を出し、操作パネル１０９は表示言語情報を設定値管理部２０５から取得し、英語でＬＣＤにアイドル中を意味する「Ｒｅａｄｙ To Ｐｒｉｎｔ」を表示する（ステップＳ２０２）。
【００８８】
以上のように、実施例２によれば、印刷完了時に出荷国の表示言語に戻すことができるため、プリンタが使用されている国以外の国の出身者が印刷した後でも、プリンタの操作パネルの表示がプリンタが使用されている国の言語での表示に変更されるため、プリンタが使用されている国以外の国の出身者が印刷した後にプリンタが使用されている国のユーザがプリンタステータスを読むことができなくて混乱するという問題を回避することができるという効果が得られる。
【実施例３】
【００８９】
実施例２では、プリンタが出荷された国のユーザ以外のユーザが、印刷した後にエラーが発生した後や、トナーが減った場合など印刷中に発生したが印刷完了後に表示するようなエラー等が発生した場合、そのユーザが印刷物を取りに行ったときには、すでに表示がその国の言語に切り替わってしまっているため、ユーザは所望の表示言語でプリンタのステータスを見ることができないという問題が生じ得る。
【００９０】
図１７は、本発明の実施例２に係る画像形成システムを示すブロック図である。
図１７の実施例３において、図１５の実施例２と同じ構成の部分については同じ番号を付し、重複する説明を省略する。
【００９１】
そこで、まず、画像形成システム３０１の情報処理装置３０２について説明する。
実施例２では、表示言語を印刷終了時においてデフォルト値に戻すが、実施例３では、情報処理装置３０２は、図１８に示すようにプリンタドライバ設定画面において、プリンタの表示言語を切り替える印刷データの印刷終了後からデフォルト値に戻すまでの時間を設定できる。そして、図１９に示すような表示継続時間を指定した印刷データを送信することができる。
【００９２】
これにより、印刷後指定した時間が経過するまでは、印刷データで指定した表示言語で表示することができるようになる。
ここで、実施例３の情報処理装置３０２の構成について説明する。
【００９３】
実施例３では、情報処理装置３０２の構成について説明する。
実施例３では、情報処理装置３０２の内部に表示継続時間作成部３０５と表示継続時間記憶部３０４を追加した。
【００９４】
印刷情報作成部１０５は、表示継続時間記憶部３０４と接続されており、当該表示継続時間記憶部３０４から図１８に示すようなプリンタドライバ設定画面の表示継続時間メニューで設定された表示継続時間情報（実施例３では１５秒）を取得し、図１９に示すような印刷データを作成する。
【００９５】
表示継続時間記憶部３０４は、表示継続時間作成部３０５と接続されており、図１８のプリンタドライバ設定画面の表示継続時間メニューで１５秒が選択された場合、表示継続時間作成部３０５は、表示継続時間情報を１５秒に設定する。
【００９６】
表示継続時間記憶部３０４は、この表示継続時間作成部３０５で作成された表示継続時間情報（１５秒）を取得し、記憶する。
次に、画像形成装置３０３について説明する。
【００９７】
まず、受信部３０６の内部に表示継続時間コマンド解析部３０７を追加し、情報処理装置３０２から送信される印刷データ内の表示継続時間コマンドを解析できるようにした。
【００９８】
受信部３０６は、表示継続時間コマンド解析部３０７によって、印刷データ内の表示継続時間コマンドを解析して設定値管理部３１１へ表示継続時間の設定値を通知する。
【００９９】
設定値管理部３１１には、表示継続時間保存部３１２を追加し、受信部３０６から通知された表示継続時間の設定値を表示継続時間保存部３１２で保存する。
【０１００】
ジョブ管理部３０８には、デフォルト設定部３０９の内部処理部として時間監視部３１０を追加した。時間監視部３１０は、ジョブの完了時に設定値管理部３１１から印刷完了後の表示継続時間を取得し、その時間が経過するまでの時間を監視する。そして、その時間が経過したら、デフォルト設定部３０９でデフォルトの表示言語に戻す。その後、操作パネル３１３にＬＣＤパネルの再表示を依頼する。この指示を受けて操作パネル３１３は、追加された内部処理の再表示部３１４でＬＣＤパネルの再表示を行う。
【０１０１】
次に、実施例３の動作を説明する。
実施例３は、実施例２において、印刷データ作成処理と印刷ジョブ処理とプリンタ環境設定処理とを変更し、新規に操作パネルの再表示処理を追加したものである。
【０１０２】
そこで、実施例３で変更した処理と追加した処理の流れについて説明する。実施例２または実施例１と同じ処理については、同じ番号を付与し、重複する説明を省略する。
【０１０３】
図２０は、実施例３の印刷データ作成処理の流れの一例を示すフローチャートである。
ここでは、デフォルトの表示言語は、英語で、印刷データは、表示言語を日本語、表示継続時間を１５秒に設定する場合を例に説明する。
【０１０４】
まず、識別情報作成部１０７は、図１８に示すようなプリンタドライバ設定画面で設定された表示言語情報として日本語を取得する。
次に、識別情報作成部１０７は、ステップＳ１０５で取得した表示言語情報である日本語を、識別情報記憶部１０６に渡し、保存する（ステップＳ１０６）。
【０１０５】
次に、表示継続時間作成部３０５は、図１８に示すようなプリンタドライバ設定画面で設定された表示時間継続情報である「１５秒」を取得する（ステップＳ３０１）。
【０１０６】
次に、表示継続時間作成部３０５は、ステップＳ３０１で取得した表示時間継続情報である「１５秒」を表示継続時間記憶部３０４に渡し、保存する（ステップＳ３０２）。
【０１０７】
次に、表示継続時間作成部３０５は、ステップＳ１０６で保存した表示言語情報である日本語を識別情報記憶部１０６から取得し、ステップＳ３０２で保存した表示時間継続情報である「１５秒」を表示継続時間記憶部３０４から取得する。そして、表示言語を日本語に設定するコマンドと、表示継続時間を１５秒に設定するコマンドとを合成し、図１９に示すような印刷データにおけるプリンタ環境設定コマンドを作成する（ステップＳ３０３）。
【０１０８】
次に、印刷情報作成部１０５は、一般的なプリンタドライバが作成する印刷ジョブデータを作成する（ステップＳ１０８）。一般的なプリンタドライバが作成する印刷ジョブデータとは、図１９に示すような印刷データの印刷ジョブデータの部分である。
【０１０９】
次に、印刷情報作成部１０５は、ステップＳ３０３で作成したプリンタ環境設定コマンドと、ステップＳ１０８で作成した印刷ジョブデータとを合成して印刷データを作成する（ステップＳ３０４）。
【０１１０】
次に、印刷ジョブ処理について説明する。
図２１は、実施例３に係る印刷ジョブ処理の流れの一例を示すフローチャートである。
ステップＳ１２０からＳ１３１までは、実施例１または２と同じ処理である。
【０１１１】
実施例３では、ステップＳ１３１の次の処理として、ジョブ管理部３０８の時間監視部３１０は、設定値管理部３１１の表示継続時間保存部３１２から表示継続時間である「１５秒」を取得する（ステップＳ３０５）。
【０１１２】
次に、時間監視部３１０は、ステップ３０５で取得した時間で表示継続時間を監視するタイマをスタートさせる（ステップＳ３０６）。
次に、ステップ３０５では、スタートさせたタイマがタイムアップしたか確認する（ステップＳ３０７）。
【０１１３】
タイムアップしていない場合は、ステップＳ３０７の確認処理を継続し、タイムアップを確認したら、次のステップＳ３０８へ進む。ここでは、タイムアップまで確認処理を続ける流れになっているが、オペレーションシステムのタスク遅延機能で一旦処理を停止させ、１５秒後に再起動しても良い。タイマは、指定した時間を経過したことが確認できるものであればどのようなものでも差し支えない。
【０１１４】
次に、ジョブ管理部３０８の内部のデフォルト設定部３０９は、設定値管理部３１１に表示言語のデフォルト値を問い合わせ、そのデフォルト値を取得し、設定値管理部３１１に表示言語情報をデフォルト値である英語に設定するよう依頼する。そして、設定値管理部３１１は、ＥＥＰＲＯＭ等の不揮発性メモリの表示言語情報を英語に変更する（ステップＳ３０８）。
【０１１５】
そして、ジョブ管理部３０８は、操作パネル３１３のＬＣＤの再表示を行う（ステップＳ３０９）。
【０１１６】
次に、プリンタの環境設定処理について説明する。
図２２は、実施例３に係るプリンタの環境設定処理流れの一例を示すフローチャートである。
【０１１７】
ステップＳ１１６からＳ１１９までは、実施例１または２と同じ処理である。
実施例３では、ステップＳ１１９の次の処理として、表示継続時間設定コマンドについての処理を追加した。そこで、ステップＳ３１０から説明する。
【０１１８】
ステップＳ３１０では、受信部３０６は、表示言語設定コマンドについての処理の後にも、継続してプリンタ環境設定コマンドを解析する。
【０１１９】
ステップＳ３１１では、受信部３０６は、プリンタ環境設定コマンドを解析した結果、そのプリンタ環境設定コマンドが表示継続時間設定コマンドであるかどうか判定する。
【０１２０】
ステップＳ３１１の判定の結果、そのプリンタ環境設定コマンドが表示継続時間設定コマンドでないときは、何らの処理もせず、終了する。
【０１２１】
ステップＳ３１１の判定の結果、そのプリンタ環境設定コマンドが表示継続時間設定コマンドであるときは、ステップＳ３１２で、その表示継続時間設定コマンドから表示継続時間情報である「１５秒」を取得する。
【０１２２】
次のステップＳ３１３では、受信部３０６は、ステップＳ３１２で取得した日本語の表示継続時間情報を設定値管理部３１１に通知し、設定値管理部３１１は、ＥＥＰＲＯＭ等の不揮発性メモリの表示継続時間情報を「１５秒」に変更する。
【０１２３】
次に、パネル再表示処理について説明する。
図２３は、実施例３に係るパネル再表示処理の流れの一例を示すフローチャートである。
【０１２４】
まず、ステップＳ３１４では、操作パネル３１３は、現在表示している表示データを保存する。この場合、実際には、現在表示しているプリンタ内のステータスに対応する管理番号や、現在表示しているメニューに対応する管理番号を保存する。
【０１２５】
次に、ステップＳ３１５では、操作パネル３１３は、設定値管理部３１１から表示言語情報を取得する。
次に、ステップＳ３１６では、操作パネル３１３は、表示言語情報の判定を行う。
【０１２６】
ステップＳ３１６での判定の結果、表示言語が日本語なら、ステップＳ３１７で、図４に示す多国語テーブルからステップＳ３１４で保存した管理番号に対応する日本語の表示データを取得する。
【０１２７】
また、ステップＳ３１６での判定の結果、表示言語が英語なら、ステップＳ３１８で、図４に示す多国語テーブルからステップＳ３１４で保存した管理番号に対応する英語の表示データを取得する。
【０１２８】
また、ステップＳ３１６での判定の結果、表示言語がドイツ語なら、ステップＳ３１９で、図４に示す多国語テーブルからステップＳ３１４で保存した管理番号に対応するドイツ語の表示データを取得する。
【０１２９】
また、ステップＳ３１６での判定の結果、表示言語がフランス語なら、ステップＳ３２０で、図４に示す多国語テーブルからステップＳ３１４で保存した管理番号に対応するフランス語の表示データを取得する。
【０１３０】
また、ステップＳ３１６での判定の結果、表示言語がイタリア語なら、ステップＳ３２１で、図４に示す多国語テーブルからステップＳ３１４で保存した管理番号に対応するイタリア語の表示データを取得する。
【０１３１】
例えば、ステップＳ３１５で表示言語情報として英語が取得され、プリンタステータスがアイドル状態であることに対応して図４のステータス番号が「１」であり、ステップＳ３１６での判定の結果、ステップＳ３１８で、図４に示す多国語テーブルから「Ｒｅａｄｙ  ｔｏ  Ｐｒｉｎｔ」が取得される。
次に、ステップＳ３２２では、操作パネル３１３は、ＬＣＤに「Ｒｅａｄｙ  ｔｏ  Ｐｒｉｎｔ」を表示する。
【０１３２】
以上のように、実施例３によれば、印刷データの印刷終了後にユーザが指定した時間だけ継続して印刷データで指定した表示言語で表示されるため、印刷後、ユーザが印刷物を取りに行ったときにもユーザの所望の表示言語でプリンタのステータスを読むことができるという効果が得られる。
【実施例４】
【０１３３】
実施例３では、複数の印刷データがプリンタに送信された場合、前の表示言語である所望の表示言語が後の印刷データの表示言語に変更されてしまうため、前の印刷データのユーザにとっては所望の表示言語でプリンタのステータスを見ることができないという問題が生じ得る。
【０１３４】
図２４は、本発明の実施例４に係る画像形成システムを示すブロック図である。
図２４の実施例４において、実施例３と同じ構成の部分については同じ番号を付し、重複する説明を省略する。
【０１３５】
実施例３との違いは、画像形成システム４０１の画像形成装置４０２の受信部４０３に表示言語情報を取得したときに、ジョブ管理部４０５へジョブの表示言語情報を登録するジョブ管理部への表示言語登録部４０４を追加したことと、ジョブ管理部４０５へジョブ毎に表示言語情報を保存する表示言語保存部４０６を追加したことである。
【０１３６】
ジョブ管理部４０５は、図２７に示すようなジョブ管理テーブルを使用してジョブ毎に表示言語情報を管理できるようにしている。
【０１３７】
次に、実施例４の動作を説明する。
実施例４は、実施例３に対し、図２５に示すプリンタ環境設定処理の流れと、図２６に示す印刷ジョブ処理の流れを変更したのみである。そこで、実施例４で変更した処理と追加した処理の流れについて説明する。
【０１３８】
実施例３と同じ処理については、同じ番号を付与し、重複する説明を省略する。
図２５は、実施例４に係るプリンタの環境設定処理流れの一例を示すフローチャートである。
【０１３９】
実施例４に係るプリンタの環境設定処理流れにおいては、実施例３と同じ表示言語情報取得のステップＳ１１８の次に、受信部４０３は、ジョブ管理部４０５に前のジョブが存在するか確認する（ステップＳ４０１）。
【０１４０】
このとき、ジョブ管理部４０５は、図２７に示すようなジョブ管理テーブルで前のジョブが存在するか確認し、前のジョブが存在するか否かの情報を受信部４０３へ返す。
【０１４１】
ステップＳ４０１で前のジョブが存在しないと判定された場合は、ステップＳ１１９の表示言語情報設定処理へ進む。
ステップＳ４０１で前のジョブが存在すると判定された場合は、表示言語情報をジョブ管理テーブルに登録する処理であるステップＳ４０２へ進む。
【０１４２】
ステップＳ４０２では、受信部４０３は、内部に存在するジョブ管理部への表示言語登録部４０４に対し、ジョブ管理部４０５へ今処理しているジョブの表示言語情報を登録するよう指示する。
【０１４３】
ジョブ管理部への表示言語登録部４０４は、ジョブ管理部４０５へ今処理しているジョブの表示言語情報を通知し、ジョブ管理部４０５は、表示言語保存部４０６に表示言語情報を保存するように指示し、表示言語保存部４０６は、図２７に示すようなジョブ管理テーブルの表示言語情報に、渡された表示言語情報を保存する。そして、ステップＳ３１０の環境設定コマンド解析処理へ進む。
【０１４４】
そして、以後は、実施例３と同様のプリンタ環境設定処理を実行する（ステップＳ３１０ないしＳ３１３）。
【０１４５】
次に、実施例４の印刷ジョブ処理について説明する。
図２６は、実施例３に係る印刷ジョブ処理の流れの一例を示すフローチャートである。
ステップＳ１２０からＳ１３１までとＳ３０５からＳ３０７までは、実施例３と同じ処理である。
【０１４６】
実施例３では、ステップＳ３０７の次の処理として、ステップＳ３０７で表示言語継続時間タイマのタイムアップを確認したら、ステップＳ４０３で、ジョブ管理部４０５は、図２７に示すようなジョブ管理テーブルで次のジョブが存在するか否か確認する。
【０１４７】
ステップＳ４０３で次のジョブが存在しないと判定された場合は、ステップＳ３０８に進み、以後は実施例３と同様の処理を実行する（ステップＳ３０８、Ｓ３０９）。
ステップＳ４０３で次のジョブが存在すると判定された場合は、ステップＳ４０４に進む。
【０１４８】
ステップＳ４０４では、ジョブ管理部４０５は、図２７に示すジョブ管理テーブルから次のジョブの表示言語情報を取得する。
そして、ステップＳ４０５では、ジョブ管理部４０５は、ステップＳ４０４で取得した表示言語情報を設定値管理部３１１に通知し、表示言語情報を設定する。そして、ステップＳ３０９に進み、以後は実施例３と同様の処理を実行する（ステップＳ３０９）。
【０１４９】
以上のように、実施例４によれば、次のジョブの表示言語情報により表示言語が切り替えられてしまうという問題が生じることがなく、現在印刷しているユーザの所望の表示言語で表示できるという効果が得られる。
【実施例５】
【０１５０】
実施例４では、複数の印刷データがプリンタに送信された場合、前の印刷データのユーザが所望の表示言語でプリンタのステータスを見ることができるが、表示時間については、前の表示継続時間である所望の表示継続時間が後の印刷データで指定されている表示継続時間に変更されてしまうため、次の印刷ジョブによって前のジョブの表示時間が短くなってしまうなどの問題が生じ得る。
【０１５１】
図２８は、本発明の実施例５に係る画像形成システムを示すブロック図である。
図２８の実施例５において、図２４の実施例４と同じ構成の部分については同じ番号を付し、重複する説明を省略する。
【０１５２】
実施例４との違いは、画像形成システム５０１の画像形成装置５０２の受信部５０３に表示継続時間情報を取得したときに、ジョブ管理部５０５へジョブの表示継続時間情報を登録するジョブ管理部への表示継続時間登録部５０４を追加したことと、ジョブ管理部５０５へジョブ毎に表示継続時間情報を保存する表示継続時間保存部５０６を追加したことである。
【０１５３】
ジョブ管理部５０５は、図３１に示すようなジョブ管理テーブルを使用してジョブ毎に表示継続時間情報を管理できるようにしている。
【０１５４】
次に、実施例５の動作を説明する。
実施例５は、実施例４に対し、図２９に示すプリンタ環境設定処理の流れと、図３０に示す印刷ジョブ処理の流れを変更したのみである。そこで、実施例５で変更した処理と追加した処理の流れについて説明する。
実施例４と同じ処理については、同じ番号を付与し、重複する説明を省略する。
【０１５５】
図２９は、実施例５に係るプリンタの環境設定処理流れの一例を示すフローチャートである。
【０１５６】
実施例５に係るプリンタの環境設定処理流れにおいては、実施例４と同じ表示継続時間情報取得のステップＳ３１２の次に、受信部５０３は、内部に存在するジョブ管理部への表示継続時間登録部５０４に対し、ジョブ管理部５０５へ今処理しているジョブの表示言語情報を登録するよう指示する。
【０１５７】
ジョブ管理部への表示継続時間登録部５０４は、ジョブ管理部５０５へ今処理しているジョブの表示継続時間を通知し、ジョブ管理部５０５は、表示継続時間保存部５０６に表示継続時間情報を保存するように指示し、表示継続時間保存部５０６は、図３１に示すようなジョブ管理テーブルの表示継続時間情報に、渡された表示継続時間情報を保存する（ステップＳ５０１）。これにより、環境設定コマンド解析処理を終了するとともに、プリンタ環境設定処理を終了する。
【０１５８】
次に、実施例５の印刷ジョブ処理について説明する。
図３０は、実施例５に係る印刷ジョブ処理の流れの一例を示すフローチャートである。
【０１５９】
実施例５では、ステップＳ３０５の代わりにＳ５０１を設けており、その他については、実施例４と同じ処理である。
【０１６０】
ステップＳ３０６の表示言語継続時間タイマをスタートさせる前に、ジョブ管理部５０５は、図３１に示すジョブ管理テーブルから今印刷が終了したジョブの表示継続時間を取得する。そして、ジョブ管理部５０５は、表示継続時間を設定値管理部３１１に通知し、表示継続時間を設定する（ステップＳ５０２）。そして、ステップＳ３０６に進み、以後は実施例４と同様の処理を実行し（ステップＳ３０６以降）、印刷ジョブ処理を終了する。
【０１６１】
以上のように、実施例５によれば、次のジョブの表示継続時間情報により表示継続時間が切り替えられてしまうという問題が生じることがなく、プリンタのステータスが現在印刷しているユーザの所望の表示継続時間の間、所望の表示言語で表示されるようにできるという効果が得られる。
【０１６２】
なお、上述した各実施例においては、画像形成装置の例としてプリンタについて説明したが、本発明はこれに限らず、複写機やファクシミリ等であっても差し支えない。
【図面の簡単な説明】
【０１６３】
【図１】本発明の実施例１に係る画像形成システムをの一例を示すブロック図である。
【図２】実施例１に係る印刷データの一例を示す図である。
【図３】実施例１に係るプリンタドライバ設定画面の一例を示す図である。
【図４】実施例１に係る操作パネルの多国語テーブルの一例を示す図である。
【図５】実施例１に係るプリンタのオペレータパネルのステータス表示の一例を示す図である。
【図６】実施例１に係るプリンタのオペレータパネルのメニュー表示の一例を示す図である。
【図７】実施例１に係るジョブ管理テーブルの一例を示す図である。
【図８】実施例１に係る表示処理の流れの一例を示すフローチャートである。
【図９】実施例１に係る表示言語設定処理の全体の流れの一例を示すフローチャートである。
【図１０】実施例１に係る印刷データ作成処理の流れの一例を示すフローチャートである。
【図１１】実施例１に係る印刷データ処理の流れの一例を示すフローチャートである。
【図１２】実施例１に係るプリンタ環境設定処理の流れの一例を示すフローチャートである。
【図１３】実施例１に係る印刷ジョブ処理の流れの一例を示すフローチャートである。
【図１４】実施例１において表示言語を英語から日本語に変更する場合の操作パネル表示の遷移を示す図である。
【図１５】本発明の実施例２に係る画像形成システムを示すブロック図である。
【図１６】実施例２に係る印刷ジョブ処理の流れの一例を示すフローチャートである。
【図１７】本発明の実施例３に係る画像形成システムの一例を示すブロック図である。
【図１８】実施例３に係るプリンタドライバ設定画面の一例を示す図である。
【図１９】実施例３に係る印刷データの一例を示す図である。
【図２０】実施例３に係る印刷データ作成処理の流れの一例を示すフローチャートである。
【図２１】実施例３に係る印刷ジョブ処理の流れの一例を示すフローチャートである。
【図２２】実施例３に係るプリンタ環境設定処理の流れの一例を示すフローチャートである。
【図２３】実施例３に係るパネル再表示処理の流れの一例を示すフローチャートである。
【図２４】本発明の実施例４に係る画像形成システムの一例を示すブロック図である。
【図２５】実施例４に係るプリンタ環境設定処理の流れの一例を示すフローチャートである。
【図２６】実施例４に係る印刷ジョブ処理の流れの一例を示すフローチャートである。
【図２７】実施例４に係るジョブ管理テーブルの一例を示す図である。
【図２８】本発明の実施例５に係る画像形成システムの一例を示すブロック図である。
【図２９】実施例５に係るプリンタ環境設定処理の流れの一例を示すフローチャートである。
【図３０】実施例５に係る印刷ジョブ処理の流れの一例を示すフローチャートである。
【図３１】実施例５に係るジョブ管理テーブルの一例を示す図である。
【符号の説明】
【０１６４】
１０１    画像形成システム
１０２    情報処理装置
１０３    画像形成装置
１０４    送信部
１０５    印刷情報作成部
１０６    識別情報記憶部
１０７    識別情報作成部
１０８    受信部
１０９    操作パネル
【図１】
2007090757.tif 000003
【図２】
2007090757.tif 000004
【図３】
2007090757.tif 000005
【図４】
2007090757.tif 000006
【図５】
2007090757.tif 000007
【図６】
2007090757.tif 000008
【図７】
2007090757.tif 000009
【図８】
2007090757.tif 000010
【図９】
2007090757.tif 000011
【図１０】
2007090757.tif 000012
【図１１】
2007090757.tif 000013
【図１２】
2007090757.tif 000014
【図１３】
2007090757.tif 000015
【図１４】
2007090757.tif 000016
【図１５】
2007090757.tif 000017
【図１６】
2007090757.tif 000018
【図１７】
2007090757.tif 000019
【図１８】
2007090757.tif 000020
【図１９】
2007090757.tif 000021
【図２０】
2007090757.tif 000022
【図２１】
2007090757.tif 000023
【図２２】
2007090757.tif 000024
【図２３】
2007090757.tif 000025
【図２４】
2007090757.tif 000026
【図２５】
2007090757.tif 000027
【図２６】
2007090757.tif 000028
【図２７】
2007090757.tif 000029
【図２８】
2007090757.tif 000030
【図２９】
2007090757.tif 000031
【図３０】
2007090757.tif 000032
【図３１】
2007090757.tif 000033